(57)【特許請求の範囲】
【請求項１】
ニードルと、ニードル作動カムと、リセット・エレメントと、電磁手段とを有したダイヤル・シリンダー型丸編機にてダイヤル・ニードルの選択を行う選針装置であって、
前記ニードルは、ダイヤルに形成された複数の溝夫々に摺動可能に設けられており、
前記ニードルの先端から最も遠い長手方向の端部に該ニードルの上縁と下縁とを含む平面に垂直な枢軸回りに回動自在に枢支され、さらに、ダイヤルの前記溝の内対応する溝の底部から最も遠い側面から全幅にわたり突出した少なくとも一個のヒールを備えたレバーを有し、
前記ニードル作動カムはダイヤルに対面し、しかも、前記ヒールにより係合される少なくとも一個の通路を形成し、
前記ダイヤルは、ニードル作動カムに対して変位自在であり、これにより前記レバーをニードルの長手方向にダイヤルの前記溝の内対応する溝に沿って移動させることにより前記ニードルを長さ方向に移動させ、
また前記ニードルの枢軸側端部と前記溝の底部との間及び前記レバーの枢軸側端部と前記溝の底部との間に形成した隙間に位置し、一端がニードルに接続され他端がレバーに作用する板ばねが設けられており、
前記レバーは、前記板ばねの力に抗した前記枢軸回りの揺動により、前記ヒールがダイヤルの所定の前記溝から突出してニードル作動カムにより形成される通路に係合した状態にある作動位置から、ヒールが前記溝に挿入されて前記通路への係合を回避した状態の不作動位置に変位することができ、
前記リセット・エレメントは、前記レバーを作動位置から不作動位置に移動させ、
前記電磁手段は、前記レバーの強磁性部位に対面して設けられて、前記レバーを不作動位置または作動位置に変位させる
ことを特徴としたダイヤル・シリンダー型丸編機におけるダイヤル・ニードルの選針装置。
【請求項２】
前記電磁手段は、電磁石と永久磁石とを含み、永久磁石は、レバーを前記リセット・エレメントにより不作動位置に変位後も同位置に保持し、電磁石はレバーに働く磁気を消去することを特徴とした請求項１に記載の選針装置。
【請求項３】
前記リセット・エレメントは、前記ニードル作動カムに固定されて前記ダイヤルに対するニードル作動カムの移動に連動できるリセット・カムにより構成されており、該リセット・カムは、リセット・カム及び前記電磁手段に対するダイヤルの移動方向にて電磁手段の上流側に設けられていることを特徴とした請求項１に記載の選針装置。
【発明の詳細な説明】
【０００１】
【発明の属する技術分野】
この発明は、選針装置、特に丸編機におけるダイヤル・ニードルの選択に適した選針装置に関する。
【０００２】
【従来の技術】
ホージャリ等の編み機の分野では種々の選針装置が既に知られている。すなわち、特定の柄を編成するために一部の針を停止させ、一部の針を作動させる場合に選針装置が必要となる。
従来の選針装置の問題点は、嵩高いため小径の丸編機には適用ができない。特に、選針装置が単一シリンダーのダイヤル・シリンダー型丸編機のダイヤル・ニードルを作動させなければならない場合には適用がむつかしい。
【０００３】
【発明が解決しようとする課題】
この発明は、上記指摘の問題点に鑑み、ホージャリー等の丸編機における選針装置において、コンパクトで小径の丸編機にも簡単に装備することができる選針装置を提供して上記指摘の問題点を解決せんとするものである。
上記目的の範囲内において、この発明は、特にダイヤル・シリンダー型丸編機におけるダイヤル・ニードルの選択に適した選針装置を提供するものである。
さらに本発明の目的は、操作上の信頼性の高い選針装置を提供することである。
【０００４】
【課題を解決するための手段】
上記目的を達成するため、この発明による丸編機用選針装置は、ニードルと、ニードル作動カムと、リセット・エレメントと、電磁手段とを有したダイヤル・シリンダー型丸編機にてダイヤル・ニードルの選択を行う選針装置であって、前記ニードルは、ダイヤルに形成された複数の溝夫々に摺動可能に設けられており、前記ニードルの先端から最も遠い長手方向の端部に該ニードルの上縁と下縁とを含む平面に垂直な枢軸回りに回動自在に枢支され、さらに、ダイヤルの前記溝の内対応する溝の底部から最も遠い側面から全幅にわたり突出した少なくとも一個のヒールを備えたレバーを有し、前記ニードル作動カムはダイヤルに対面し、しかも、前記ヒールにより係合される少なくとも一個の通路を形成し、前記ダイヤルは、ニードル作動カムに対して変位自在であり、これにより前記レバーをニードルの長手方向にダイヤルの前記溝の内対応する溝に沿って移動させることにより前記ニードルを長さ方向に移動させ、また前記ニードルの枢軸側端部と前記溝の底部との間及び前記レバーの枢軸側端部と前記溝の底部との間に形成した隙間に位置し、一端がニードルに接続され他端がレバーに作用する板ばねが設けられており、前記レバーは、前記板ばねの力に抗した前記枢軸回りの揺動により、前記ヒールがダイヤルの所定の前記溝から突出してニードル作動カムにより形成される通路に係合した状態にある作動位置から、ヒールが前記溝に挿入されて前記通路への係合を回避した状態の不作動位置に変位することができ、前記リセット・エレメントは、前記レバーを作動位置から不作動位置に移動させ、前記電磁手段は、前記レバーの強磁性部位に対面して設けられて、前記レバーを不作動位置または作動位置に変位させることを特徴としている。
上記以外のこの発明の特徴と効果は、以下に詳記する本発明の実施例からさらに明らかになろう。ただし、実施例はこれをもって発明を限定するものではない。以下添付図面に基づいて詳説する。
【０００５】
【発明の実施の形態】
以下、図面に示す実施例に基づいて説明する。
図示実施例ではこの発明に係わる選針装置は、ダイヤル・シリンダー型丸編機に適用した場合を示す。
ダイヤル１は複数の放射状溝２を有し、各溝にニードル３が摺動自在に設けられている。
【０００６】
各針は、反ポイント方向の終端部にニードル３に枢支されたレバー４を有している。レバー４は、ニードル３の上縁と下縁に垂直な枢軸５回りに回動自在になっている。
使用にあたってレバー４は、放射状溝２の底面２ａに垂直な平面上の枢軸５回りに揺動することができる。なお、放射状溝２は図示実施例ではダイヤル１そのものに形成されている。
【０００７】
レバー４は、少なくとも一つのヒール６を有している。ヒール６は、溝２の底面２ａから最も離れたレバー４の上縁の幅一杯に突出している。ダイヤル１はニードル作動カム７と面対応しており、同ニードル作動カム７はレバー４のヒール６が係合できる少なくとも一つの通路８を形成している。通路８は、ダイヤル１をカム７に対しその軸回りに回転したときにニードル３をダイヤル１の放射状溝２内においてその長手方向に移動できるような形状になっている。
【０００８】
さらに詳しくは、レバー４はニードル３に対し枢軸５回りに揺動して作動位置から不作動位置へ変位することができる。作動位置でヒール６はダイヤル１の対応する放射状溝２から突出してカム７により形成された通路８に係合し、不作動位置ではヒール６は、対応する放射状溝２に挿入されてカム７により形成された通路８との係合を避ける。
【０００９】
この発明による選針装置は、リセット・エレメント９と電磁手段１０とを有している。リセット・エレメント９は、レバー４を作動位置から不作動位置に変位させ、電磁手段１０は、レバー４の強磁性部位１１に対面し、必要に応じて作動されレバー４を不作動位置に保持または作動位置に変位させることができる。
【００１０】
レバー４は全体を強磁性素材により形成しても、または、電磁手段１０に対面する部位１１だけを強磁性素材で形成してもよいが、要するに、磁気的吸引に感応することが必要である。
レバー４は、弾性手段、本実施例では一端をニードル３に固着し他端をレバー４の溝２の底部２ａ方向の側面に特別に形成した凹部１３に載置させた板ばね１２の力に抗して作動位置から不作動位置へ変位される。
レバー４のニードル３への枢支は、ニードル３への係合部であるレバー４の端部を尖頭形に形成してニードル３の先端より最も離れた長手方向端部に形成した筒状シート１５に挿入することにより可能となる。
【００１１】
リセット・エレメント９は、ダイヤル１の移動中もカム７に固着され、ダイヤル１のカム７、リセット・カム９、電磁手段１０に対する移動方向（図３中矢印２０で示す）において電磁手段１０の上流に設けられたリセット・カムにより構成される。
【００１２】
電磁手段１０は、永久磁石１６と少なくとも一個の電磁石１７を有し、電磁石１７は、永久磁石１６と共に配置され、作動されることによりレバー４上の永久磁石１６の磁気をほぼ消去させることができる。
【００１３】
次に、この発明による選針装置の作用について説明する。
ダイヤル１の軸回りの回転中、選択レバー４はその作動位置にあってリセット・カム９に係合しているとき、図３に示すように永久磁石１６上に保持されたまま不作動位置に変位し、その状態に維持する。
【００１４】
レバー４を不作動位置に保持しようとする場合は、電磁石１７は作動されない。この結果、レバー４は不作動位置に止まり、カム７により形成された通路８へのヒール６による係合はない。このようにして、不作動位置に保持されたレバー４に対応するニードル３は作動されることはない。永久磁石１６が終了してもレバー４は板ばね１２により作動位置に移行することができる。しかし、作動位置への移行は、カム７の圧力に抗することになる。それは、通路８が電磁手段１０付近に在るときのみレバー４のヒール６によって係合できるように形成されていることによる。
【００１５】
もし、ニードル３を作動する必要があるときは、電磁石１７が作動され、永久磁石１６の磁性を消去することによりレバー４を不作動位置から作動位置へ軸１５回りに揺動させる。これにより、レバー４のヒール６は、カム７により形成される通路８に係合し、その結果、対応するニードル３は作動される。
【００１６】
リセット・カム９、永久磁石１６、電磁石１７それぞれは、ニードルの選針がニードル毎に行えるような寸法とすることができる。具体的には、異なるニードルを選ぶことができるようにする。
【００１７】
実際には、本発明による選針装置は、コンパクトであるので、小径の丸編機のダイヤルにも支障なく適用することができる。
この発明は、特に小径の丸編機に適した選針装置を想定しているが、さらに、発明の要旨内にて種々変更が可能であり、細部については技術的均等物により置換可能なことは言うまでもない。使用する材料、大きさは必要性及び技術レベルに応じて適宜選択できる。
【図面の簡単な説明】
【図１】この発明による選針装置をダイヤル・シリンダー型丸編機（一部図示省略）に応用した場合であって、選針装置のレバーを作動位置に保持した状態の概略図である。
【図２】図１に示す選針装置のレバーを不作動位置に保持した状態の概略図である。
【図３】選針装置のレバーをダイヤルの軸線方向からリセット・エレメントと電磁手段とともに示す概略図である。
【符号の説明】
１    ダイヤル
２    溝
３    ニードル
４    レバー
５    枢軸
６    ヒール
７    カム
８    通路
９    リセット・エレメント（カム）
１０    電磁手段
１１    レバーの強磁性部位
１２    板ばね
１３    凹部
１６    永久磁石
１７    電磁石
【図１】
0004208296.tif 000002
【図２】
0004208296.tif 000003
【図３】
0004208296.tif 000004